(57)【特許請求の範囲】
【請求項１】
靴底であって、
接地面１０と上面１１とを有するゴム製のアウトソール１と、
上面２１および下面２０を有し前記アウトソール１の前記上面１１に前記下面２０が付着され熱可塑性の樹脂成分を有する発泡体を主体とするミッドソール２とを備え、
前記アウトソール１は、
第１方向Ｄ１に互いに離間して配列された複数のクリートＣ１と、
前記第１方向Ｄ１に交差する第２方向Ｄ２に互いに離間して配列された複数のクリートＣ１とを有し、
前記クリートＣ１のうち前記第１および第２方向に交差する第３方向Ｄ３に互いに隣り合う前記クリートＣ１同士は前記第３方向Ｄ３に前記アウトソールの第１連結部１２を介して互いに連なり、
前記クリートＣ１のうち前記第１、第２および第３方向Ｄ１〜Ｄ３に交差する第４方向Ｄ４に互いに隣り合う前記クリートＣ１同士は前記第４方向Ｄ４に前記アウトソールの第２連結部１３を介して互いに連なり、
前記クリートＣ１のうち３個以上のクリートＣ１に囲まれた部位で貫通孔Ｈが定義され、前記貫通孔Ｈが複数設けられ、
前記ミッドソール２の下面２０は、
前記アウトソール１の上面１１に付着された付着面２２と、前記各貫通孔Ｈを通して露出する前記発泡体の露出面２３とを有する。
【請求項２】
請求項１の靴底において、
前記複数の露出面２３のうち互いに隣り合う露出面２３と前記第１又は第２連結部１２，１３に付着された前記付着面２２とにおいて前記ミッドソール２の上面２１が連なり、
前記第３又は第４方向Ｄ３，Ｄ４に互いに隣り合う前記クリートＣ１の間の前記第１又は第２連結部１２，１３において前記アウトソール１が平面視において括れている。
【請求項３】
請求項１の靴底において、
前記複数の露出面２３のうち互いに隣り合う露出面２３と前記第１連結部１２に付着された前記付着面２２とにおいて前記ミッドソール２の上面２１が連なり、
前記複数の露出面２３のうち互いに隣り合う露出面２３と前記第２連結部１３に付着された前記付着面２２とにおいて前記ミッドソール２の上面２１が連なり、
前記第３方向Ｄ３に互いに隣り合う前記クリートＣ１の間の前記第１連結部１２において前記アウトソール１が平面視において括れており、
前記第４方向Ｄ４に互いに隣り合う前記クリートＣ１の間の第２連結部１３において前記アウトソール１が平面視において括れている。
【請求項４】
請求項１〜３のいずれか１項の靴底において、
前記複数の貫通孔Ｈが３個以上設けられ、前記３個以上の貫通孔Ｈに隣り合い、かつ、この３個以上の貫通孔Ｈで前記各クリートＣ１の周囲が囲まれて配置されている。
【請求項５】
請求項１〜４のいずれか１項の靴底において、
前記複数の露出面２３は前記第１方向Ｄ１に互いに離間して配列され、かつ、前記第２方向Ｄ２に互いに離間して配列され、
前記複数の露出面２３のうち前記第３方向Ｄ３に隣り合う露出面２３同士は前記第３方向Ｄ３に前記アウトソール１の前記第２連結部１３により互いに不連続とされ、
前記複数の露出面２３のうち前記第４方向Ｄ４に隣り合う露出面２３同士は前記第４方向Ｄ４に前記アウトソール１の前記第１連結部１２により互いに不連続とされている。
【請求項６】
請求項１〜５のいずれか１項の靴底において、
前記第１又は第２連結部１２，１３の下面１４のレベルは前記クリートＣ１の接地面１０よりも上方に設定されている。
【請求項７】
請求項１〜６のいずれか１項の靴底において、
前記複数の貫通孔Ｈは複数行で、かつ、複数列設けられ、
前記複数の露出面２３は複数行で、かつ、複数列設けられている。
【請求項８】
請求項７の靴底において、
前記複数のクリートＣ１同士の前記各行および各列におけるピッチが４〜４０ｍｍの範囲に設定され、
前記複数の貫通孔の前記各行および各列におけるピッチが４〜４０ｍｍの範囲に設定されている。
【請求項９】
請求項１〜８のいずれか１項の靴底において、
前記各貫通孔Ｈの開口面積が４〜４００ｍｍ２の範囲に設定されている。
【請求項１０】
請求項１〜９のいずれか１項の靴底において、前記各露出面２３は、
前記付着面２２よりも下方に向かって突出し、かつ、前記接地面１０よりも上方の位置に設定された突出面２４と、
前記突出面２４の周囲に設けられ、前記付着面２２と連なる非突出面２５とを備える。
【請求項１１】
請求項１０の靴底において、
前記接地面１０は前記突出面２４よりも０．５〜５ｍｍ下方に突出している。
【請求項１２】
請求項１０もしくは１１の靴底において、
前記複数のクリートＣ１のうち１つのクリートＣ１の面積は、前記複数の突出面２４のうちの当該１つのクリートＣ１に隣り合う突出面２４の面積よりも大きい。
【請求項１３】
請求項１〜１２のいずれか１項の靴底において、
前記複数のクリートＣ１のうち１つのクリートＣ１が付着する１つの付着面２２の面積は前記複数の露出面２３のうちの当該付着面２２に隣接する露出面２３の面積よりも大きい。
【請求項１４】
請求項１〜１３のいずれか１項の靴底において、
前記複数のクリートＣ１のうち１つのクリートＣ１が付着する１つの付着面２２の面積は前記複数の露出面２３のうちの当該付着面２２に隣接する露出面２３の面積の１０５％〜３００％に設定されている。
【請求項１５】
請求項１〜１４のいずれか１項の靴底において、
母趾球Ｏ１の後部に接し足の外側の斜め前方へ向かう仮想のラインＬから踵骨隆起ＢＣまでの間の中間領域αに、前記露出面２３及び前記クリートＣ１が、それぞれ、６〜６０個設けられている。
【請求項１６】
請求項１〜１５のいずれか１項の靴底において、
前記アウトソール１のヤング率は前記ミッドソール２のヤング率よりも大きい。
【発明の詳細な説明】
【技術分野】
【０００１】
本発明はミッドソールの下に配置したアウトソールの構造を有する靴底の改良に関する。
【背景技術】
【０００２】
一般に、靴底には、軽量性、耐久性、グリップ性能、緩衝性能および屈曲性などの特性が要求され、これらの特性は相反する場合もあるが、其々ある一定以上の特性が要求されている。また、近年、靴底の接地面のデザインや環境に対する配慮も望まれている。【０００３】
たとえば、コートシューズやクロストレーニングシューズ等においては、耐久性やグリップ性能の観点からアウトソールがミッドソールの全面を覆う場合が多い。しかし、ゴムの非発泡体や発泡倍率の小さいアウトソールが前記全面にわたって用いられることは靴底の重量増の要因となる。逆に、軽量化のため部分的にミッドソールが露出していると、当該露出部分は耐久面でのウィークポイントを発生させるだろう。
【先行技術文献】
【特許文献】
【０００４】
【特許文献１】ＪＰ０５−０６５２０１Ｙ（フロントページ）
【特許文献２】ＪＰ０１−１５４８０５Ｙ（フロントページ）
【特許文献３】ＪＰ６３−１７２３０２Ｙ（フロントページ）
【特許文献４】ＪＰ０７−１３６００３Ａ（フロントページ）
【発明の概要】
【０００５】
本発明の目的は、耐久性低下の抑制、軽量性、グリップ性能、緩衝性能が期待できるとともに、適度な屈曲性が期待できる靴底を提供することである。更に、デザインの多様化や環境に対する配慮も期待できる。
【０００６】
本発明の靴底は、
接地面１０と上面１１とを有するゴム製のアウトソール１と、
上面２１および下面２０を有し前記アウトソール１の前記上面１１に前記下面２０が付着され熱可塑性の樹脂成分を有する発泡体を主体とするミッドソール２とを備え、
前記アウトソール１は、
第１方向Ｄ１に互いに離間して配列された複数のクリートＣ１と、
前記第１方向Ｄ１に交差する第２方向Ｄ２に互いに離間して配列された複数のクリートＣ１とを有し、
前記クリートＣ１のうち前記第１および第２方向に交差する第３方向Ｄ３に互いに隣り合う前記クリートＣ１同士は前記第３方向Ｄ３に前記アウトソールの第１連結部１２を介して互いに連なり、
前記クリートＣ１のうち前記第１、第２および第３方向Ｄ１〜Ｄ３に交差する第４方向Ｄ４に互いに隣り合う前記クリートＣ１同士は前記第４方向Ｄ４に前記アウトソールの第２連結部１３を介して互いに連なり、
前記クリートＣ１のうち３個以上のクリートＣ１に囲まれた部位で貫通孔Ｈが定義され、前記貫通孔Ｈが複数設けられ、
前記ミッドソール２の下面２０は、
前記アウトソール１の上面１１に付着された付着面２２と、前記各貫通孔Ｈを通して露出する前記発泡体の露出面２３とを有する。
【０００７】
本発明において、アウトソール１の貫通孔Ｈおよび露出面２３は３個以上のクリートＣ１に囲まれて隣り合っており、そのため、当該１つのクリートＣ１は貫通孔Ｈおよび露出面２３によりクリートＣ１の変形の独立性が発揮される。
すなわち、１つのクリートＣ１が周辺のアウトソール１や他のクリートＣ１により剛性が強化されず、柔軟である。そのため、前記各クリートＣ１は剪断および圧縮変形し易い。したがって、路面をキャッチするグリップ性能が向上すると共に、緩衝性能の向上も期待できるであろう。
【０００８】
一方、アウトソール１に形成された貫通孔Ｈは、アウトソール１の軽量化に役立つ。
ここで、ミッドソール２とアウトソール１とは互いに接着ないし溶着されて、互いに一体となっていることで、厚さが増加して曲げに対する剛性、つまり、曲げ剛性ＥＩZ （Ｅ：ヤング率、ＩＺ：断面二次モーメント）が著しく増加する。この曲げ剛性ＥＩＺはソールの厚さの概ね２乗に比例する。したがって、アウトソール１に形成された貫通孔Ｈは曲げ剛性ＥＩＺの低下に寄与し、靴底の屈曲性が向上するだろう。
【０００９】
また、ミッドソール２に比べ格段に比重の大きいアウトソール１に複数の貫通孔Ｈが設けられており、軽量化を図り得ると共に環境にも好ましいであろう。
【００１０】
また、アウトソール１の各クリートＣ１は第３方向Ｄ３および第４方向Ｄ４に第１連結部１２および第２連結部１３を介して互いに連なっており、前記軽量化を図りながら、部品点数の増大を抑制し得る。
【００１１】
更に、前記複数の貫通孔Ｈは三個以上のクリートＣ１に囲まれて連続しておらず、耐久性能が低下するのを抑制し得る。
【００１２】
また、一般にミッドソール２の表面はアウトソール１とは異なる色や美しい風合いを有しており、複数の露出面２３とアウトソール１は、互いに異なる色のコントラストをなすことにより、靴底のデザインを多様化させるのに役立つだろう。
【００１３】
ここで、ゴム製のアウトソール１は、発泡倍率の比較的小さいゴムの発泡体や、ゴムの非発泡体で形成され、ミッドソール２よりも比重が大きいが、耐摩耗性に優れている。
【００１４】
ミッドソール２の発泡体は、熱可塑性の接地面１０の成分と任意の適宣の他の成分とを含む。前記熱可塑性の樹脂成分としては、例えば、熱可塑性エラストマーおよび熱可塑性樹脂が挙げられる。
【００１５】
前記熱可塑性エラストマーの種類としては、例えば、スチレンエチレンブチレンスチレンブロック共重合体（ＳＥＢＳ）などのスチレン系エラストマーやエチレン−酢酸ビニル共重合体系エラストマーなどを用いることができる。
【００１６】
前記熱可塑性樹脂の種類としては、例えば、エチレン−酢酸ビニル共重合体（ＥＶＡ）などの酢酸ビニル系樹脂やポリスチレン、スチレンブタジエン樹脂などを用いることができる。以上の樹脂成分は、１種単独で又は２種以上を併用できる。
【００１７】
本発明において、「発泡体を主体とする」とは、ミッドソール２の上面２１又は下面２０の半分以上、あるいは、ミッドソール２の体積の半分以上が発泡体で形成されていることを意味し、ミッドソール２の一部にゲルや鞘様部材（ｐｏｄｓ）などが含まれていてもよいことを意味する。
【図面の簡単な説明】
【００１８】
【図１】図１Ａは本発明の一実施例を示す靴底の底面図、図１Ｂは図１ＡのＩＢ−ＩＢ線断面図である。
【図２】図２は同実施例の靴底を拡大した要部の概略斜視図である。
【図３】図３は要部の底面図である。
【図４】図４Ａおよび図４Ｂは、それぞれ、図１ＡのＩＶＡ−ＩＶＡ線断面図、図１ＡのＩＶＢ−ＩＶＢ線断面図である。
【図５】図５は同靴底と足の骨格との関係を示す底面図である。
【図６】図６Ａおよび図６Ｂと他のクリートおよび貫通孔の形状および配置を示す概略底面図である。
【図７】図７Ａおよび図７Ｂは他のクリートおよび貫通孔の形状および配置を示す概略底面図である。
【図８】図８Ａおよび図８Ｂは他のクリートおよび貫通孔の形状および配置を示す概略底面図である。
【発明を実施するための形態】
【００１９】
好ましくは、前記複数の露出面２３のうち互いに隣り合う露出面２３と前記第１又は第２連結部１２，１３に付着された前記付着面２２とにおいて前記ミッドソール２の上面２１が連なり、
前記第３又は第４方向Ｄ３，Ｄ４に互いに隣り合う前記クリートＣ１の間の前記第１又は第２連結部１２，１３において前記アウトソール１が平面視において抉られたように括（くび）れている。
【００２０】
この場合、第１又は第２連結部１２，１３においてアウトソール１が平面的に抉られて括れている。そのため、互いに隣り合うクリートＣ１の前記変形の独立性が向上する。したがって、前記グリップ性および緩衝性が更に向上するだろう。
また、括れた部分により軽量性および屈曲性等も向上するだろう。
【００２１】
更に好ましくは、前記複数の露出面２３のうち互いに隣り合う露出面２３と前記第１連結部１２に付着された前記付着面２２とにおいて前記ミッドソール２の上面２１が連なり、
前記複数の露出面２３のうち互いに隣り合う露出面２３と前記第２連結部１３に付着された前記付着面２２とにおいて前記ミッドソール２の上面２１が連なり、
前記第３方向Ｄ３に互いに隣り合う前記クリートＣ１の間の前記第１連結部１２において前記アウトソール１が平面視において括れており、
前記第４方向Ｄ４に互いに隣り合う前記クリートＣ１の間の第２連結部１３において前記アウトソール１が平面視において括れている。
【００２２】
この場合、第１及び第２連結部１２，１３の双方においてアウトソール１が平面的に抉られて括れている。そのため、互いに隣り合うクリートＣ１の前記変形の独立性が更に向上するだろう。
【００２３】
好ましくは、前記複数の貫通孔Ｈが３個以上設けられ、前記３個以上の貫通孔Ｈに隣り合い、かつ、この３個以上の貫通孔Ｈで前記各クリートＣ１の周囲が囲まれて配置されている。
【００２４】
この場合、各クリートＣ１の周囲が貫通孔Ｈに囲まれており、したがって、各クリートＣ１の前記独立性が向上するだろう。
【００２５】
好ましくは、前記複数の露出面２３は前記第１方向Ｄ１に互いに離間して配列され、かつ、前記第２方向Ｄ２に互いに離間して配列され、
前記複数の露出面２３のうち前記第３方向Ｄ３に隣り合う露出面２３同士は前記第３方向Ｄ３に前記アウトソール１の前記第２連結部１３により互いに不連続とされ、
前記複数の露出面２３のうち前記第４方向Ｄ４に隣り合う露出面２３同士は前記第４方向Ｄ４に前記アウトソール１の前記第１連結部１２により互いに不連続とされている。
【００２６】
この場合、ミッドソール２の露出面２３同士が不連続となっていることで、靴底の曲げ剛性が局部的に小さくなりすぎるのを抑制できるだろう。
【００２７】
好ましくは、前記第１又は第２連結部１２，１３の下面１４のレベルは前記クリートＣ１の接地面１０よりも上方に設定されている。
【００２８】
この場合、第１又は第２連結部１２，１３の各平均肉厚Ｔ２，Ｔ３は各クリートＣ１の平均肉厚Ｔ１に比べ薄くなるであろうから、各クリートＣ１の前記独立性が向上するであろう。
【００２９】
好ましくは、前記複数の貫通孔Ｈは複数行で、かつ、複数列設けられており、
前記複数の露出面２３は複数行で、かつ、複数列設けられている。
【００３０】
複数行および複数列の貫通孔Ｈおよび露出面２３はクリートＣ１の前記独立性を向上させるだろう。
【００３１】
好ましくは、前記複数のクリートＣ１同士の前記各行および各列におけるピッチが４〜４０ｍｍの範囲に設定され、
前記複数の貫通孔の前記各行および各列におけるピッチが４〜４０ｍｍの範囲に設定されている。
【００３２】
前記各ピッチが４ｍｍ未満であると、アウトソール１が細かいメッシュのような模様になったりして、そのため、クリートの前記独立性が損なわれるかもしれない。
一方、前記各ピッチが４０ｍｍを超えると、１つのクリートＣ１の接地面積が増大し、外観上、クリートＣ１が独立していても、前記独立性による機能が損なわれるだろう。
【００３３】
かかる観点から前記各ピッチは１０〜４０ｍｍが更に好ましく、１５〜３５ｍｍが最も好ましい。但し、一部にピッチが４ｍｍ未満や４０ｍｍを超える貫通孔Ｈが存在してもよい。
【００３４】
好ましくは、前記各貫通孔Ｈの開口面積が４〜４００ｍｍ２の範囲に設定されている。
【００３５】
各貫通孔Ｈの開口面積が４ｍｍ2 未満であると、アウトソール１の連続性が増大し、そのため、クリートＣ１の独立性が損なわれるだろう。
一方、各貫通孔Ｈの開口面積が４００ｍｍ2 を超えると、剛性の小さい部分と大きい部分とが局部的に現れ、足裏の安定した支持の妨げになるかもしれない。
【００３６】
かかる観点から、前記開口面積は２５〜３００ｍｍ2 が好ましく、３６〜２５０ｍｍ2 が最も好ましい。但し、一部に４ｍｍ2 未満や４００ｍｍ2 を超える貫通孔Ｈがあってもよい。
【００３７】
好ましくは、前記付着面２２よりも下方に向かって突出し、かつ、前記接地面１０よりも上方の位置に設定された突出面２４と、
前記突出面２４の周囲に設けられ、前記付着面２２と連なる非突出面２５とを備える。
【００３８】
この場合、突出面２４はミッドソール２の表面で形成される。この突出面２４は柔らかいクリートとして機能するであろう。
しかも、貫通孔Ｈの部位で固い突起物を踏み付けた場合に足裏に違和感が生じにくいだろう。
また、アウトソール１のクリートＣ１，Ｃ１間の貫通孔Ｈの部位に土や泥が目詰まりした場合、前記土や泥の量を減らすことができるだろう。
【００３９】
好ましくは、前記接地面１０は前記突出面２４よりも０．５〜５ｍｍ下方に突出している。
【００４０】
接地面１０が突出面２４よりも５ｍｍを超えて下方に突出していると、突出面２４があっても貫通孔Ｈに多量の前記土などが詰まるかもしれない。
一方、突出面２４から接地面１０が突出する突出高さが０．５ｍｍよりも小さいと、アウトソール１が接地した際に、ミッドソール２の突出面２４も接地し、柔軟なミッドソール２の表面が傷付き易く、靴底の外観が損なわれ易いかもしれない。
かかる観点からこれらの値は１〜４ｍｍが好ましく、１．５〜３ｍｍ程度が最も好ましい。
【００４１】
好ましくは、前記複数のクリートＣ１のうち１つのクリートＣ１の面積は、前記複数の突出面２４のうちの当該１つのクリートＣ１に隣り合う突出面２４の面積よりも大きい。
【００４２】
この場合、クリートＣ１による防滑性が発揮され易いだろう。前記１つのクリートＣ１の面積とは、前記複数の貫通孔Ｈに囲まれた部分のうちクリートＣ１のアウトラインに囲まれた部分の面積を意味する。
【００４３】
好ましくは、前記複数のクリートＣ１のうち１つのクリートＣ１が付着する１つの付着面２２の面積は前記複数の露出面２３のうちの当該付着面２２に隣接する露出面２３の面積よりも大きい。
【００４４】
露出面２３が隣の付着面２２よりも大きいと、剛性の小さい部分の面積が大きく、足裏の安定した支持を妨げたり、あるいは、異物の踏み付け時に違和感が生じ易いかもしれない。
【００４５】
好ましくは、前記複数のクリートＣ１のうち１つのクリートＣ１が付着する１つの付着面２２の面積は前記複数の露出面２３のうちの当該付着面２２に隣接する露出面２３の面積の１０５％〜３００％に設定されている。
【００４６】
前記面積比が１０５％未満であると、前述と同様に違和感等が生じ易いかもしれない。
一方、前記面積比が３００％を超えると、１つのクリートＣ１の付着面２２の面積が過大となり、そのため、見た目に独立したクリートであっても、前記独立性が発揮され難いだろう。
かかる観点からこの面積比は１１０〜３５０％が好ましく、１２０〜３００％程度が最も好ましいだろう。
【００４７】
好ましくは、母趾球Ｏ１の後部に接し足の外側の斜め前方へ向かう仮想のラインＬから踵骨隆起ＢＣまでの間の中間領域αに、前記露出面２３及び前記クリートＣ１が、それぞれ、６〜６０個設けられている。
【００４８】
この中間領域αは、その前方および後方の部位に比べ、一般に、アウトソール１が摩耗しにくい。したがって、前記中間領域αに前記独立性を発揮するクリートを設けることで、靴底の耐久性を損なうことなく、前記効果を発揮し得る。
また、６〜６０個のミッドソール２の露出面２３は靴底の新たなデザインを提供するだろう。
かかるデザイン性の観点から露出面２３の数は１０〜５０個が好ましく、１５〜４５個程度が最も好ましいだろう。
【００４９】
好ましくは、前記アウトソール１のヤング率は前記ミッドソール２のヤング率よりも大きい。
【００５０】
樹脂の発泡体やゴムの硬度はヤング率との相関関係が強い。
一般に、ミッドソール２はアウトソール１に比べ柔軟であり、硬度がアウトソール１よりも遙に小さい。しかし、両者の硬度の測定方法は互いに異なり、そのため、両者の硬度の関係に代えてヤング率の概念を用いた。
【００５１】
一般に、ミッドソール２の硬度はアスカーＣ硬度で４０°〜７５°程度に設定される。一方、アウトソール１の硬度はＪＩＳＡ硬度で５５°〜７０°程度に設定される。なお、前記Ａ硬度の７０°は前記Ｃ硬度の約８６°程度に相当する。
【実施例】
【００５２】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００５３】
以下、本発明の一実施例が図面にしたがって説明される。
本実施例は例えばランニングないしウォーキング用の靴の靴底である。
図１Ｂに示すように、靴底はゴム製のアウトソール１と樹脂製のミッドソール２とを備える。なお、靴底の上には足の甲を包むアッパー（図示せず）が設けられる。【００５４】
ミッドソール２は例えばＥＶＡの発泡体を主体としており、強化装置（図示せず）を備えていてもよい。また、ミッドソール２には低反発材、高反発材および溝などが設けられてもよい。【００５５】
アウトソール１はミッドソール２の発泡体よりも耐摩耗性の大きい接地底で、一般に、ミッドソール２の発泡体よりも硬度およびヤング率が大きい。なお、「ゴム製」とは天然ゴムや合成ゴムの成分を有するという意味で、任意の他の成分を含む。【００５６】
アウトソール１は接地面１０と上面１１とを有する。ミッドソール２は上面２１および下面２０を有し前記アウトソール１の前記上面１１に前記下面２０が付着される。【００５７】
ミッドソール２は足裏の概ね全面を覆う。一方、図１Ａのアウトソール１にはベース部１Ｂに多数のクリートＣ１及び多数の貫通孔Ｈが形成されている。前記貫通孔Ｈにおいてミッドソール２の前記下面２０は露出して多数の露出面２３が形成されている。【００５８】
本実施例の場合、前記アウトソール１の外周縁２６はループ状に連なっており、前記外周縁２６に囲まれた領域に前記多数のクリートＣ１が設けられている。更に、図５に示すように、母趾球Ｏ１の後部に接し足の外側の斜め前方へ向かう仮想のラインＬから踵骨隆起ＢＣまでの間の中間領域αに、前記露出面２３および前記クリートＣ１が、それぞれ、多数設けられている。【００５９】
なお、本実施例の場合、たとえば、アウトソール１の面積に対する貫通孔Ｈの面積比（開孔率）は、足の内側Ｍｅよりも足の外側Ｌａの方が大きい。そのため、オーバープロネーションを抑制し得る。【００６０】
図３および図２に拡大して示すように、前記アウトソール１には突起状の複数のクリートＣ１（１つのクリート群）が第１方向Ｄ１に互いに離間して配置されている。別の複数のクリートＣ１（別のクリート群）が前記第１方向Ｄ１に交差する第２方向Ｄ２に互いに離間して配置されている。
前記各クリートＣ１の周囲には薄いベース部１Ｂが設けられている。【００６１】
なお、図３において、並びに、後述する図６Ａ〜図８Ｂにおいて、アウトソール１のクリートＣ１の部位には大きい網点が付され、前記薄いベース部１Ｂには小さい網点が付されている。また、図２において、薄いベース部１Ｂの厚さは線の太さで表現されている。【００６２】
本実施例の場合、図３に示す各クリートＣ１内には複数本の突条が設けられ（収容され）ているが、図２においては作図の便宜上、前記突条に代えて平滑な表面であるとして図示されている。【００６３】
図２および図３に示すように、前記クリートＣ１のうち前記第１および第２方向Ｄ１，Ｄ２に交差する第３方向Ｄ３に互いに隣り合う前記クリートＣ１同士は前記第３方向Ｄ３に前記アウトソール１の第１連結部１２を介して互いに連なっている。
前記クリートＣ１のうち前記第１、第２および第３方向Ｄ１〜Ｄ３に交差する第４方向Ｄ４に互いに隣り合う前記クリートＣ１同士は前記第４方向Ｄ４に前記アウトソール１の第２連結部１３を介して互いに連なっている。
すなわち、本実施例では、１枚のアウトソール１からクリートＣ１、第１連結部１２および第２連結部１３が形成されている。【００６４】
前記第１および第２連結部１２，１３は前記ベース部１Ｂの一部で形成されている。つまり、前記第１または第２連結部１２，１３の下面１４のレベルは前記クリートＣ１の接地面１０よりも上方に設定されている。【００６５】
前記クリートＣ１のうち４個のクリートＣ１に囲まれた部位で前記貫通孔Ｈが定義されている。なお、図１および図３に示すように、一部の前記貫通孔Ｈは３個のクリートＣ１と外周縁２６とで囲まれて定義されている。【００６６】
前記ミッドソール２の下面２０は、前記アウトソール１の上面１１に付着された図４Ａの付着面２２と、前記各貫通孔Ｈを通して露出する前記発泡体の露出面２３とを有する。【００６７】
図２および図３に示すように、前記複数の貫通孔Ｈは複数行（好ましくは３行以上）で、かつ、複数列（好ましくは３列以上）設けられている。したがって、前記複数の露出面２３は複数行（好ましくは３行以上）で、かつ、複数列（好ましくは３列以上）設けられている。
また、前記複数のクリートＣ１は複数行（好ましくは３行以上）で、かつ、複数列（好ましくは３列以上）設けられている。こうして、複数のクリートＣ１と複数の貫通孔Ｈは、第１方向Ｄ１において、交互に配置され、また、複数のクリートＣ１と複数の貫通孔Ｈは、第２方向Ｄ２において、交互に配置されて、クリートＣ１と露出面２３とが格子模様を形成している。【００６８】
図４Ａおよび図４Ｂに示すように、前記複数の露出面２３のうち互いに隣り合う露出面２３と前記第１連結部１２に付着された前記付着面２２とにおいて前記ミッドソール２の上面２１が連なっている。
図１Ａおよび図１Ｂに示すように、前記複数の露出面２３のうち互いに隣り合う露出面２３と前記第２連結部１３に付着された前記付着面２２とにおいて前記ミッドソール２の上面２１が連なっている。【００６９】
図１および図３に示すように、前記第３方向Ｄ３に互いに隣り合う前記クリートＣ１の間の前記第１連結部１２において前記アウトソール１は平面視においてえぐられたように括（くび）れている。
前記第４方向Ｄ４に互いに隣り合う前記クリートＣ１の間の第２連結部１３において前記アウトソール１は平面視においてえぐられたように括れている。
こうして、多数の前記変形の独立性を有するクリートＣ１は例えば１枚のアウトソール材で互いに一体に成型されている。
なお、「平面視において」とは、底面図においてという程の意味である。【００７０】
１つの各連結部１２，１３の幅Ｗの値は、０．８〜１０ｍｍが好ましく、１〜７ｍｍがより好ましく、１．５〜６ｍｍが更に好ましい。これらの場合、クリートＣ１の変形の独立性を発揮しつつ、成型時に第１および第２連結部１２，１３が分断される不具合が生じにくいだろう。【００７１】
図１〜図３に示すように、前記複数の各露出面２３は前記第１方向Ｄ１に互いに離間して配列され、かつ、前記第２方向Ｄ２に互いに離間して配列されている。
なお、図４Ｂに示すように、前記ミッドソール２の上面２１は前記一対の露出面２３が前記付着面２２を介して連なっている。【００７２】
前記複数の露出面２３のうち前記第３方向Ｄ３に隣り合う露出面２３同士は前記第３方向Ｄ３に前記アウトソール１の前記第２連結部１３により互いに不連続とされ、
前記複数の露出面２３のうち前記第４方向Ｄ４に隣り合う露出面２３同士は前記第４方向Ｄ４に前記アウトソール１の前記第１連結部１２により互いに不連続とされている。【００７３】
図２に示すように、前記各露出面２３は、突出面２４および非突出面２５を備える。前記突出面２４は前記付着面２２よりも下方に向かって突出し、かつ、前記接地面１０よりも上方の位置に設定されている。
前記非突出面２５は前記突出面２４の周囲に設けられ、前記付着面２２に連なる。【００７４】
図４Ｂの拡大図に示すように、前記接地面１０は前記突出面２４よりも例えば０．５〜５ｍｍ下方に突出している。【００７５】
図３に示すように、本実施例の場合、前記第１および第２連結部１２，１３は各クリートＣ１のコーナＣｃとコーナＣｃとの間に形成されており、したがって、前記括れが大きく、各クリートＣ１の前記変形の独立性が発揮され易い。【００７６】
前記複数のクリートＣ１のうち１つのクリートＣ１の面積は、前記複数の突出面２４のうちの当該１つのクリートＣ１に隣り合う突出面２４の面積よりも大きい。
また、前記複数のクリートＣ１のうち１つのクリートＣ１が付着する１つの付着面２２の面積は、つまり、１つのクリートＣ１の面積にその周囲のベース部１Ｂの面積を加えた面積は、前記複数の露出面２３のうちの当該付着面２２に隣接する露出面２３の面積よりも大きい。【００７７】
前記複数のクリートＣ１のうち１つのクリートＣ１が付着する１つの付着面２２の面積は前記複数の露出面２３のうちの当該付着面２２に隣接する露出面２３の面積の例えば１０５％〜３００％に設定されている。【００７８】
前記複数のクリートＣ１同士の前記各行および各列におけるピッチは、例えば４〜４０ｍｍの範囲に設定されている。前記複数の貫通孔の前記各行および各列におけるピッチが４〜４０ｍｍの範囲に設定されている。
前記各貫通孔Ｈの開口面積は例えば４〜４００ｍｍ２の範囲に設定されている。【００７９】
つぎに、他の実施例について説明される。
クリートＣ１の形状は、図６Ａの三角形、図６Ｂの六角形、図７Ａの円形または図７Ｂの異形であってもよい。【００８０】
また、クリートＣ１同士を連結する第１および第２連結部１２，１３は、図６Ａのようにベース部１Ｂで形成されていなくてもよい。たとえば、第１および第２連結部１２，１３は図６ＢのようにクリートＣ１のコーナ（角）Ｃｃと辺（直線ないし曲線）ＣＬで形成されていてもよいし、図７Ａのように、曲線と曲線とが接して形成されていてもよい。【００８１】
しかし、図２または図６Ａの実施例のように、前記第１および第２連結部１２，１３は、クリートＣ１のコーナＣｃとコーナＣｃとの間に形成された場合、クリートＣ１，Ｃ１同士の間に大きな括（くび）れが形成され、クリートＣ１の変形の独立性が発揮され易い。
なお、図６Ａにおいて、第１連結部１２と第２連結部の場所は重複している。【００８２】
図８Ａの実施例においては、２つの貫通孔Ｈの間に配置されたクリートＣ１が前記独立性を発揮するだろう。また、１つの貫通孔Ｈに隣り合うクリートＣ１も前記独立性を若干発揮するだろう。一方、これらのクリートＣ１に囲まれたクリートＣ２は前記独立性を発揮しにくいかもしれない。【００８３】
なお、図８Ｂの実施例においては、クリートＣ１およびクリートＣ２は前記独立性が図８Ａに比べ更に低下するかもしれない。【００８４】
以上のとおり、図面を参照しながら好適な実施例を説明したが、当業者であれば本明細書を見て、自明な範囲で種々の変更および修正を容易に想定するであろう。
たとえば、クリート内に形成された突条に代えて、クリートの表面に小さな凹部や凸部が形成されてもよい。また、クリートは２段状に形成されてもよい。
また、貫通孔においてミッドソールの突出面は設けられなくてもよい。
また、アウトソールの外周縁の三角形状の貫通孔に代えて、三角形状のクリートが配置されてもよい。また、アウトソールの外周縁に３つのクリートに囲まれた切欠きが設けられてもよい。
また、アウトソール及び／又はミッドソールは、それぞれ、複数枚のアウトソール材および／又は複数のミッドソール材で形成されていてもよい。
したがって、そのような変更および修正は、請求の範囲から定まる本発明の範囲のものと解釈される。
【産業上の利用可能性】
【００８５】
本発明はランニング用やウォーキング用などの運動靴の他に、散歩用および日常的な靴の靴底に利用できる。
【符号の説明】
【００８６】
１：アウトソール  １０：接地面  １１：上面  １２：第１連結部  １３：第２連結部  １４：下面
２：ミッドソール  ２０：下面  ２１：上面  ２２：付着面  ２３：露出面  ２４：突出面  ２５：非突出面  ２６：外周縁
ＢＣ：踵骨隆起
Ｃ１：クリート  Ｃ２：クリート  Ｃｃ：コーナ  ＣＬ：辺
Ｄ１：第１方向  Ｄ２：第２方向  Ｄ３：第３方向  Ｄ４：第４方向
Ｈ：貫通孔
Ｌ：ライン
Ｏ１：母趾球
α：中間領域
【図１】
0005972476.tif 000002
【図２】
0005972476.tif 000003
【図３】
0005972476.tif 000004
【図４】
0005972476.tif 000005
【図５】
0005972476.tif 000006
【図６】
0005972476.tif 000007
【図７】
0005972476.tif 000008
【図８】
0005972476.tif 000009